(57)【要約】【課題】  コンテナなどのパネルに設けた吸い込み口や吹き出し口などの開口部の開度を容易に検出することができる開口部の開度検出装置を提供する。【解決手段】  コンテナの内外を連通する換気口１４と、その換気口を開閉するスライド蓋１７と、一端が線材２５を介してスライド蓋１７に連結される内索２１とその内索をガイドする導管２４とからなるプッシュプルコントロールケーブル１２と、内索の他端が連結されるプーリ４３と、そのプーリの回転角度を検出して電気信号として出力するポテンショメータＰＭとを備えている開度検出装置１０。【選択図】  図１
2005201465.tif 000002
【特許請求の範囲】
【請求項１】
パネルに設けた開口部と、その開口部を塞ぐ状態と開放する状態との間で移動自在に設けられる蓋と、回転部材と、前記蓋の運動を回転部材に伝達する手段と、前記回転部材の回転角度を検出して電気信号として出力する検出器とを備えている開口部の開度検出装置。
【請求項２】
前記伝達手段が導管およびその導管内に摺動自在に設けられ、蓋の往復移動に応じて往復移動する内索を備えたコントロールケーブルであり、
前記回転部材が、内索の端部が係止されると共にその近辺が巻き付けられ、内索の往復移動に応じて往復回転するプーリである
請求項１記載の開度検出装置。
【請求項３】
前記コントロールケーブルが、押し引き両方向の力を伝達するプッシュプルコントロールケーブルである請求項２記載の開度検出装置。
【請求項４】
前記蓋が往復直進運動をするスライド蓋であり、そのスライド蓋に剛性を有する線材が連結され、前記内索の一端がその線材に連結されている請求項３記載の開度検出装置。
【請求項５】
前記開口部がコンテナのパネルに設けた換気口である請求項１〜４のいずれかに記載の開度検出装置。
【発明の詳細な説明】
【技術分野】
【０００１】
本発明はコンテナの換気口など、パネルに設けた開口部の開度検出装置に関する。
【背景技術】
【０００２】
【特許文献１】特許第３３０６９０９号公報
【特許文献２】特開平９−２８０７２０号公報
【０００３】
海上輸送などに用いられるコンテナには、内部と外部を連通する換気口と電動ファンとを備えた換気装置を備えているものがある。このような換気装置は、球根や野菜類のように運搬中も生命体活動を行う植物類を搬送する場合に、庫内の空気を換気して植物の呼吸を維持し、野菜などが放出するエチレンガスを排気するためなどに用いられる。
【０００４】
特許文献１には、図６に示すように、庫外から空気を吸入する吸い込み口１０１と、庫内の空気を排出する吹き出し口１０２とを備えた外面板１０３と、その外面板と重なるように、外面板に沿って摺動自在に設けられる換気量調節板１０４とを備えた換気装置１００が開示されている。換気量調節板１０４には２個の矩形状の開口部１０５、１０５が形成されており、換気量調節板１０４を矢印Ｐ１方向に移動させることにより、吸い込み口１０１および吹き出し口１０２との重なりの程度が変化する。したがって換気量調節板１０４の位置を適切に調節することにより、換気量を調節することができる。
【０００５】
さらにこの換気装置１００では、換気量調節板１０４に形成した基準線１０６の位置を示す銘板１０７を外面板１０３に取りつけて、開口率を表示するようにしている。そのため、積み荷によって指示された適切な開口率となるように換気量調節板を調節することができる。さらに特許文献１では、吸い込み口１０１および吹き出し口１０２の形状を換気量調節板１０４の移動方向（矢印Ｐ１方向）に次第に幅が拡がる台形状とし、換気量調節板１０４の位置に応じて適切な開口面積が得られるように工夫している。
【０００６】
他方、特許文献２には、吸い込み口と吹き出し口の左右の幅を一定とすると共に、下端縁を傾斜させて、換気量調節板の位置と開口率とを適切にするようにした換気装置が開示されている。
【発明の開示】
【発明が解決しようとする課題】
【０００７】
前記従来の換気装置を備えたコンテナは、船に多数個が積み重ねられる。そのため、それぞれのコンテナごとに換気量の調節が正しい設定になってるか、確認する作業が繁雑である。さらにコンテナの積み重ね状態によっては、確認できない場合もある。本発明は、吸い込み口や吹き出し口などの開度を容易に検出することができるコンテナの換気口、およびそれと同等の開口部の開度検出装置を提供することを課題としている。
【課題を解決するための手段】
【０００８】
本発明の開口部の開度検出装置（請求項１）は、パネルに設けた開口部と、その開口部を塞ぐ状態と開放する状態との間で移動自在に設けられる蓋と、回転部材と、前記蓋の運動を回転部材に伝達する手段と、前記回転部材の回転角度を検出して電気信号として出力する検出器とを備えていることを特徴としている。
【０００９】
前記伝達手段が導管およびその導管内に摺動自在に設けられ、蓋の往復移動に応じて往復移動する内索を備えたコントロールケーブルであり、前記回転部材が、内索の端部が係止されると共にその近辺が巻き付けられ、内索の往復移動に応じて往復回転するプーリであるものが好ましい（請求項２）。前記コントロールケーブルは、押し引き両方向の力を伝達するプッシュプルコントロールケーブルとするのが好ましい（請求項３）。さらに前記蓋が往復直進運動をするスライド蓋であり、そのスライド蓋に剛性を有する線材が連結され、前記内索の一端がその線材に連結され、他端が前記プーリに巻かれているものが好ましい（請求項４）。前記開口部はコンテナのパネルに設けた換気口とすることができる。
【発明の効果】
【００１０】
本発明の開度検出装置（請求項１）は、蓋の往復運動を伝達手段が回転部材に伝達し、回転部材の回転角度を検出器が検出して電気信号として出力する。したがって適切な位置にその電気信号を表示する表示手段を設けておけば、その表示手段を見るだけで蓋の位置、すなわち開口部の開度を簡単に把握することができる。
【００１１】
前記伝達手段が、導管およびその導管内に摺動自在に設けられ、蓋の往復移動に応じて往復移動する内索を備えたコントロールケーブルであり、前記回転部材が、内索の端部が係止されると共にその近辺が巻き付けられ、内索の往復移動に応じて往復回転するプーリである場合（請求項２）は、蓋の動きが内索を介してプーリに伝達され、その回転角が検出器で検出される。そして導管および内索を長くすることにより、遠隔的に検出することができる。それにより検出器を安全で、電気配線が容易な位置に配置することができる。
【００１２】
前記コントロールケーブルを押し引き両方向の力を伝達するプッシュプルコントロールケーブルとする場合（請求項３）は、戻り側のケーブルやリターンスプリングを設ける必要がなく、構成が簡単になる。また、蓋を移動させる力は弱いので、プッシュプルコントロールケーブルとしても太くならず、配索が容易である。
【００１３】
前記蓋が往復直進運動をするスライド蓋であり、そのスライド蓋に剛性を有する線材が連結され、前記内索の一端がその線材に連結され、他端が前記プーリに巻かれている場合（請求項４）は、スライド蓋の直進運動が内索とプーリによって回転運動に変換される。すなわちコントロールケーブルは伝達手段と運動変換手段を兼ねる。また、導管から出ている部分では線材が押し引き力を伝達し、導管内およびプーリの外周では可撓性を有する内索が押し引き力を伝達する。そのため、導管に沿ってスムーズに力を伝達することができ、プーリにスムーズに巻き付かせながら、あるいはプーリから引き出しながらプーリを回転させることができる。
【００１４】
前記開口部がコンテナのパネルに設けた換気口である場合は、コンテナの換気口の開閉状態を離れた位置から容易に把握することができる。さらにコンテナに冷凍機などの電気機器が設けられている場合は、船積み時に電源線などがコネクタを介して接続される。そのため、そのようなコネクタを介して検出器の出力を集中管理盤に接続し、集中して表示させれば、多数のコンテナの換気口の状態を簡単に確認することができる。
【発明を実施するための最良の形態】
【００１５】
つぎに図面を参照しながら本発明の開度検出装置の実施の形態を説明する。図１は本発明の開度検出装置の一実施形態を示す一部切り欠き平面図、図２ａは図１のＡ部の拡大図、図２ｂは図１のＢ部の要部拡大図、図３ａは図１の開度検出装置の検出部を示す一部断面拡大図、図３ｂは図３ａのIII-III線断面図、図３ｃは図３ａのプーリとコントロールケーブルを取り出して示す平面図、図４は図３ａの検出部の組立前の斜視図、図５は図４の検出部の要部斜視図である。
【００１６】
図１に示す開度検出装置１０は、コンテナの換気口の開閉機構１１と、その開閉機構によって操作されるコントロールケーブル１２と、そのコントロールケーブルの移動を検出する検出部１３とから構成されている。開閉機構１１は換気口１４が形成されているパネル１５と、そのパネルに設けられるガイド１６と、そのガイドによって摺動自在に案内されるスライド蓋１７とを備えている。換気口１４はこの実施形態では略矩形状である。ただし図６などの従来技術のように、台形状などとすることもできる。パネル１５やスライド蓋１７はステンレスなどの耐候性を有する金属で構成される。
【００１７】
スライド蓋１７はパネル１５に密接して摺動するようにガイド１６によって保持されている。スライド蓋１７には換気口１４と略同形状の開口部１８が形成されている。この開口部１８の形状も台形状などとすることができる。スライド蓋１７の一端にはコントロールケーブル１２の内索２１と連結するためのアイエンド２２が２本のリベット２３などで固定されている。
【００１８】
前記コントロールケーブル１２は、押し引き両方向の力を伝達する可撓性を有する内索２１と、その内索を案内する可撓性を有する導管２４とを備えた軽荷重用のプッシュプルコントロールケーブルである。内索２１は図２ｂに示すように、直径０．３〜０．４ｍｍ程度の金属素線を１５〜２０本程度撚り合わせた撚り線２１ａと、その撚り線の外周を被覆する合成樹脂製のコート２１ｂとからなる。コートを含む内索２１の外径はたとえば２〜２．５ｍｍ程度である。コート２１ｂを設けない場合もある。また撚り線でなく、単線を用いる場合もある。
【００１９】
導管２４は断面角形の金属線を密に螺旋状に巻いた鎧層と、その外周に設けた合成樹脂製の被覆層とからなる。鎧層の内面に合成樹脂製のチューブ状のライナーを設ける場合もある。導管として可撓性を有しない金属管を採用することもできる。
【００２０】
図１の開度検出装置１０では、内索２１とスライド蓋１７とは前述のアイエンド２２および剛性を有する直線状の線材２５を介して連結している。線材２５およびアイエンド２２はステンレスなどの金属製であるが、合成樹脂などの他の素材であってもよい。アイエンド２２はスライド蓋１７に固定される扁平な矩形状の固定部２６と、その固定部の一端から延びる筒状部２７とからなる。
【００２１】
図２ａに示すように、線材２５の他端は連結金具２８によって内索２１の一端と連結されている。連結金具２８は、たとえば両端に深穴が形成された棒状体である。連結金具２８は通常はステンレスなどの金属製であるが、合成樹脂などの他の素材を採用してもよい。
【００２２】
図２ａに示すように、導管２４の端部にはケーシングキャップ３２が固定されている。ケーシングキャップ３２は有底筒状の部材であり、底部に線材２４を通す貫通孔３３が形成されている。開口端には導管２４の端部が嵌入され、周囲からカシメて固定している。ケーシングキャップ３２はステンレスなどの金属製であるが、合成樹脂と組み合わせてもよく、合成樹脂のみで構成することもできる。
【００２３】
上記のように構成される開閉機構１１では、スライド蓋１７を手動で開閉すると、スライド蓋１７の移動に伴ってアイエンド２２および線材２５が直進往復運動を行い、線材２５に連結されている内索２１が押し引き操作される。そのとき線材２５はケーシングキャップ３２および導管２４によってガイドされ、内索２１は導管２４によって座屈しないようにガイドされる。線材２５に圧縮方向の力が加わる場合でも、荷重が低いため座屈は生じない。すなわちこの実施の形態では、ケーシングキャップ３２は導管２４の端部を保護するほか、線材２５をガイドする作用も奏する。
【００２４】
一般的なプッシュプルケーブルの場合は、内索の端部にロッドを連結し、そのロッドを摺動自在に案内するガイドパイプの端部をケーシングキャップで首振り自在に保持している。しかしスライド蓋１７の開閉のように軽荷重で操作できる場合は、上記のようにケーシングキャップ３２の底部に形成した貫通孔３３および導管２４でガイドする程度で充分である。
【００２５】
図１に示すように、コンテナに接近している部位では導管２４の外周に保護パイプ３４が設けられている。導管２４と保護パイプ３４の内面との間には隙間３５を設けている。密着させると導管２４の挿入が煩雑になるからである。保護パイプ３４は通常は金属パイプからなる。保護パイプ３４は導管２４を保護するほか、導管２４の端部近辺を直線状に保持し、それにより線材２５が直線状にガイドされるように間接的にサポートしている。線材２５と無関係の範囲では保護パイプ３４は湾曲していてもよく、コンテナの形態に応じて適切な形状にすることができる。保護パイプ３４で覆われている部位では、線材２５をガイドしている先端近辺を除き、導管２４を省略することもできる。
【００２６】
図１に示すように、導管２４の途中を取り付けブラケット３６で保持し、コンテナの表面などに取り付けることもできる。図２ｂに示すように、取り付けブラケット３６は、外周に雄ネジ３７を形成し、一端にカシメ筒部３８を形成した本体３９と、雄ネジ３７の外周に螺合した２個のナット４０と、ワッシャなどから構成される。本体３９のカシメ筒部３８は導管２４の外周にカシメ付けて、導管をしっかり保持するようにしている。取り付けブラケット３６には本体３９が挿入される開口ないしＵ字状の切り欠きが形成され、両面からナット４０で固定する。
【００２７】
前記検出部１３は、図３ｂおよび図４に示すように、略板状のケース本体４１と、そのケース本体４１に被せられる蓋体４２と、両者の間に回転自在に保持されるプーリ４３とからなる。図３ｂではケース本体４１を上に、蓋体４２を下に記載している。ケース本体４１は図３ｂおよび図４に示すように、プーリ４３を収容するための扁平な有底円筒状の収容部４４と、その収容部の開口側端部の周囲から外向きに延びるフランジ４５とからなる。フランジは略矩形状で、角部および周縁部にネジ４６を通す貫通孔４７が形成されている。
【００２８】
そして中央部内面にプーリ４３を回転自在に保持する円筒状の支持部４８が設けられ、中央部の外面にポテンショメータ（図１の符号ＰＭ）などの検出器を取りつける取り付け座４９が突設されている。取り付け座４９には、図３ｂに示すように、ポテンショメータを取りつけるための雌ネジ部材４９ａが埋め込まれ、中央にポテンショメータの軸を通す孔５０が形成されている。さらにフランジ４５には導管２４の端部に固定したケーシングキャップ５１を保持するための半円筒状のキャップ保持部５２が突設されている。
【００２９】
蓋体４２は図４に示すようにケース本体４１とほぼ同形状の矩形状を呈しており、ケース本体の収容部４４より小さく浅い有底筒状の凹部５３と、フランジ５４とを備えている。凹部５３の内周は図３ｂに示すようにプーリ４３の径より小さくされており、それによりプーリ４３の周囲を保持することができる（図３ｂ参照）。蓋体４２の中央部内面には、プーリ４３を回転自在に保持する円筒状の支持部５５が設けられている。フランジ５４には半円筒状のキャップ保持部５６が設けられている。さらにキャップ保持部に続いて内索２１をプーリ側に案内するための突条５６ａが設けられている。
【００３０】
図４に示すように、凹部５３の周囲近辺に、円弧状の突状５７が形成されており、その一端にストッパ５８が設けられている。突条５７と凹部５３の内周面との間には、プーリ４３に設けた突起（図３ｂの符号５９）をガイドする溝が形成され、ストッパ５８はその突起５９と当接してプーリ４３を止めるためのものである。それにより内索２１がプーリ４３から引き出されるとき、プーリ４３の回転が規制される。図３ｂに示すように、蓋体４２の周囲には、前記ネジ４６をネジ込む雌ネジが形成されている。図３ａの符号６０はケース本体４１と蓋体４２の間のシールをするガスケットである。この実施形態では図３ｂに示すように、ケース本体４１の内面に設けた凹溝にガスケット６０を保持させている。ガスケット６０は蓋体側に保持させてもよい。ケース本体４１、蓋体４２およびプーリ４３は合成樹脂で形成することができる。ただし金属などで形成してもよい。
【００３１】
図３ｃおよび図４に示すように、プーリ４３は略円板状の部材であり、両面の中央にボス６２が設けられている。ボス６２の外周は円筒状であり、ケース本体４１の支持部４８および蓋体の支持部５５によって両端支持の形態で回転自在に支持される。片持ち支持にすることもできる。ボス６２の中心には、ポテンショメータの軸と回転しないように嵌合する略Ｄ字状の孔６３が形成されている。プーリ４３の外周には内索２１を収容する溝６４が設けられている。溝６４は断面Ｕ字状を呈しており、ケース本体４１の収容部４４の内面と共に内索２１の座屈を防止する閉通路を構成する。さらにプーリ４３の一面には前述の突起（図３ｂの符号５９）が設けられている。
【００３２】
図５はプーリ４３の内索２１との連結部を示している。内索２１の端部近辺には、ケーブルエンド６６がカシメにより固着されている。カシメ加工は、たとえば内索２１の端部のコートを剥がし、撚り線の周囲に円筒状のケーブルエンド６６を装着し、その外周から六角形状にカシメ付けることにより行う。円柱状あるいは他の多角形状にカシメてもよい。なお、ケーブルエンド６６を鋳込みなどで形成してよい。
【００３３】
プーリ４３の外周部にはケーブルエンド６６が収容される切り欠き部６７が形成されている。切り欠き部６７は略直方体状である。そして内索を収容する溝６４は、切り欠き部６７の近辺で、内索２１を通す孔６８およびその孔６８と外部を連通するスリット６９を除いて塞がれている。スリット６９は内索２１を通すことができる範囲でできるだけ狭くされている。それにより内索２１のプーリ４３からの脱落が防止される。孔６８の径はケーブルエンド６６の径より小さい。それによりケーブルエンド６６の前後の端面は切り欠き部６７の内面と係合する。前記孔６８はプーリの弦方向にほぼ真っ直ぐに延び、内索を収容する溝６４の底面と滑らかに連続している。
【００３４】
内索２１をプーリ４３に連結する場合、ケーブルエンド６６の前後の内索２１をスリット６９に通しながら、切り欠き部６７に挿入する（矢印Ｋ）。その状態では、ケーブルエンド６６の前後の端面が切り欠き部６７の内面と対向ないし当接する。それにより内索２１に加わる押し引き両方向の力をプーリ４３にしっかりと伝達することができる。
【００３５】
図５の実施の形態では、プーリ４３の溝６４を挟む両側の壁７０、７１のうち、蓋体側の壁７０が他方よりいくらか高くされている。それにより組立後の状態で内索２１の溝６４から脱落しにくいようにしている。その壁７０は、切り欠き部６７の近辺ではスリット６９に向けてテーパ状にされている。それにより内索２１のスリット６９への挿入が容易である。
【００３６】
図３ｃに示すように、導管２４の端部にはケーシングキャップ５１がカシメ付けられている。ケーシングキャップ５１はケース本体４１のキャップ保持部５２および蓋体４２のキャップ保持部５６によって挟まれて保持され、軸方向に加わる力が支えられる。なお、ケーシングキャップの先端とキャップ保持部５２、５６の間にはシール部材（図示していない）が介在され、導管内およびケース内への水の浸入を防止している。
【００３７】
上記のように構成される検出部１３は、内索２１がケース側に押し込まれる方向（図３ｃの矢印Ｓ１）に押し操作されると、内索に加わる圧縮力がプーリ４３の溝６４およびケース本体４１の収容部４４の内面によって支持され、順に軸方向の力として伝達され、ケーブルエンド６６を押す力として伝わる。ケーブルエンド６６は切り欠き部６７の内面を押圧してその力をプーリ４３に伝達する。それによりプーリ４３は内索２１を巻き込みながら矢印Ｎ１方向に回転する。逆に内索２１がケースから引き出される方向（矢印Ｓ２）に引き操作されると、ケーブルエンド６６の他面が切り欠き部６７の内面を反対方向に押し、プーリ４３を矢印Ｎ２方向に回転させる。
【００３８】
つぎに図１の開度検出装置１０の全体の操作状態について説明する。スライド蓋１７とプーリ４３とは内索を介して連結され、内索２１およびプーリ４３により、スライド蓋の直進往復運動がプーリの回転角に変換される。そのため、スライド蓋を矢印Ｓ２方向にいくらか開くと、プーリ４３が矢印Ｎ２方向に開度に応じて回転し、その回転角度に応じてポテンショメータＰＭからたとえば電圧信号が発生する。それにより遠隔的にスライド蓋の開度を検出することができる。スライド蓋１７を矢印Ｓ１方向に戻すと、プーリ４３が矢印Ｎ１方向に回転し、ポテンショメータＰＭがその角度に応じた電圧信号を出力する。
【００３９】
ポテンショメータから発せられる信号は、表示装置により換気量数値（ｍ3／分）などに変換して表示する。それにより管理者が換気口が適切な開口状態かどうかを確認することができる。さらに複数のスライド蓋あるいは複数基のコンテナの分を合わせて集中管理盤に接続する場合は、管理者が多数のスライド蓋の開閉状態を一人で管理することができる。
【００４０】
前記実施の形態では検出器としてポテンショメータを採用しているが、レゾルバや他の可変抵抗応用検出器など、他の検出器を採用することもできる。また前記実施の形態ではスライド蓋とプーリをプッシュプルコントロールケーブルで連結しているが、引き方向の力のみを伝達するプルコントロールケーブルで連結してもよい。その場合はたとえばプーリを内索の巻き取る方向に付勢する手段、たとえばスパイラルスプリングを設け、スライド蓋側に付勢力に抵抗してスライド蓋の位置を拘束する手段、たとえば摩擦抵抗手段やストッパ機構などを設ける。あるいは交互に引き操作をする２本の内索でスライド蓋とプーリとを連結することもできる。
【００４１】
また前記実施の形態では線材２５は導管およびケーシングキャップでガイドしているが、従来のプッシュプルコントロールケーブルの場合と同様に、ケーシングキャップで首振り自在に支持するガイドパイプでガイドするようにしてもよい。前記実施の形態では、コンテナの換気口を開閉する蓋としてスライド蓋を採用しているが、回転する蓋を採用することもできる。その場合は蓋に図３などに示すプーリ４３と同様のプーリを連結し、内索の端部をそのプーリに連結する。それにより内索は、蓋側のプーリの回転運動を一端直進運動に変換し、さらに検出器側のプーリの回転運動に変換する手段として作用する。
【００４２】
前記実施の形態ではコンテナの換気口の開度を検出する場合を説明したが、本発明の開度検出装置は、たとえば建物や自動車の窓や換気口など、他の開口部の開閉状態を検出する場合にも採用することができる。
【図面の簡単な説明】
【００４３】
【図１】本発明の開度検出装置の一実施形態を示す一部切り欠き平面図である。
【図２】図２ａは図１のＡ部の拡大図、図２ｂは図１のＢ部の要部拡大図である。
【図３】図３ａは図１の開度検出装置の検出部を示す一部断面拡大図、図３ｂは図３ａのIII-III線断面図、図３ｃは図３ａのプーリとコントロールケーブルを取り出して示す平面図である。
【図４】図３ａの検出部の組立前の斜視図である。
【図５】図４の検出部の要部斜視図である。
【図６】従来のコンテナの換気装置の一例を示す平面図である。
【符号の説明】
【００４４】
１０  開度検出装置
１１  開閉機構
１２  コントロールケーブル
１３  検出部
１４  換気口
１５  パネル
１６  ガイド
１７  スライド蓋
１８  開口部
２１  内索
２１ａ  撚り線
２１ｂ  コート
２２  アイエンド
２３  リベット
２４  導管
２５  線材
２６  固定部
２７  筒状部
２８  連結金具
３２  ケーシングキャップ
３３  貫通孔
３４  保護パイプ
３５  隙間
３６  取り付けブラケット
３７  雄ネジ
３８  カシメ筒部
３９  本体
４０  ナット
４１  ケース本体
４２  蓋体
４３  プーリ
４４  収容部
４５  フランジ
４６  ネジ
４７  貫通孔
４８  支持部
４９  取り付け座
４９ａ  雌ねじ部材
５０  孔
５１  ケーシングキャップ
５２  キャップ保持部
５３  凹部
５４  フランジ
５５  支持部
５６  キャップ保持部
５６ａ  突条
５７  突条
５８  ストッパ
５９  突起
６０  ガスケット
６２  ボス
６３  孔
６４  溝
６６  ケーブルエンド
６７  切り欠き部
６８  孔
６９  スリット
７０、７１  壁
【図１】
2005201465.tif 000003
【図２】
2005201465.tif 000004
【図３】
2005201465.tif 000005
【図４】
2005201465.tif 000006
【図５】
2005201465.tif 000007
【図６】
2005201465.tif 000008